(57)【特許請求の範囲】
【請求項１】
絞りを開放する開放位置と最小に絞り込む絞り込み位置との間で回動自在であり、前記２位置のうちの何れか一方の位置に向けてバネにより付勢されており、露光完了後に前記２位置のうちの前記バネの付勢方向とは逆方向の位置である復帰位置に復帰される絞り制御部材と、
前記絞り制御部材の回転に連動して回転し、その回転方向の一位置に段差部を有するカムと、
前記絞り制御部材が復帰位置のときに前記段差部に係合する保持爪を有し、前記保持爪が前記段差部に係合して前記絞り制御部材を復帰位置に保持する保持位置と、前記保持爪が前記段差部から退避して前記絞り制御部材の前記復帰位置での保持を解除する退避位置との間で移動自在となっており、バネにより保持位置に向けて付勢されている保持部材と、
シャッタレリーズに応答してミラーがファインダー観察位置から撮影位置にはね上げられることに連動してはね上げ位置に移動し、露光完了後に前記ミラーがファインダー観察位置に戻ることに連動して初期位置に戻されるミラーはね上げレバーと、
前記保持爪に連係する一端と、前記ミラーはね上げレバーの一部の移動軌跡内に入り込む他端とを有し、前記ミラーはね上げレバーがはね上げ位置に移動することで前記他端が前記ミラーはね上げレバーの一部に当接して前記保持部材を退避位置に移動させる解除位置に移動し、また、前記ミラーはね上げレバーが初期位置に戻ることで前記他端が前記ミラーはね上げレバーの一部に追従して前記保持部材の保持位置への移動を許容し、前記保持爪が前記段差部に係合したときに初期位置に移動する解除部材と、
前記解除部材が初期位置にあるときに前記解除部材の他端を、前記ミラーはね上げレバーの一部が前記解除部材の他端に当接する方向とは逆の方向から受けて前記解除部材の解除位置への移動を阻止し、また、シャッタレリーズ時には前記解除部材の他端の移動軌跡外に退避して前記解除部材の解除位置への移動を許容する防止部材と、
を備えたことを特徴とする絞り制御装置。
【請求項２】
シャッタボタンの半押し操作に応答して吸引作動し、その時点に決められた絞り値に対応する分だけ前記絞り制御部材が回転したときに前記吸引作動を解除する絞り制御マグネットと、
前記カムと同軸に設けられ、前記絞り制御部材の回転に連動して回転するラチェット歯車と、
前記絞り制御マグネットに吸引される鉄片と、前記ラチェット歯車に係合して前記絞り制御部材が復帰位置から一方の位置に向けて回転する方向に対応する前記ラチェット歯車の一方向の回転を止め、かつ前記ラチェット歯車の他方向の回転を許容するラチェット爪と、前記保持部材の一部の移動軌跡に入り込むピン部とを有し、前記絞り制御マグネットの吸引作動が解除されたときに前記ラチェット爪が前記ラチェット歯車に噛合するロック位置に移動して前記ラチェット歯車の一方向の回転を止めるロック位置に移動され、また、前記保持部材が退避位置から保持位置に移動するときに前記保持部材の他端が前記ピン部に係合して前記鉄片が前記絞り制御マグネットに接近しかつ前記ラチェット爪が前記ラチェット歯車から退避するスタート位置に移動されるとともに、第２バネによりロック位置に向けて付勢されているロックレバーと、
を備えていることを特徴とする請求項１記載の絞り制御装置。
【請求項３】
前記防止部材は、前記ミラーはね上げレバーに一体に形成されていることを特徴とする請求項１又は２記載の絞り制御装置。
【発明の詳細な説明】
【０００１】
【発明の属する技術分野】
本発明は、カメラの絞り制御装置に関し、さらに詳しくは、誤作動を防止するための安全機構を設けた絞り制御装置に関するものである。
【０００２】
【従来の技術】
一般的に一眼レフ形式のカメラは、絞りが交換レンズ側に内蔵されており、ボディ側にレンズの絞りを制御するための絞り制御機構が内蔵されている。レンズ側の絞りは、絞り作動リングの回転に応じて絞り口径が変化する。絞り作動リングは、絞りを開放する開放位置と最小絞りにする絞り込み位置との間で回転自在とされており、例えば絞り込みバネで常に絞り込み位置に向けて付勢されている。この絞り作動リングには、ボディ側の絞り制御機構との間でのジョイントを行うための絞り作動レバーがレンズマウントから突出して設けられている。
【０００３】
ボディ側の絞り制御機構には、ボディマウントから突出した絞り制御レバーをもった絞り制御リングが備えられている。絞り制御リングは、撮影準備完了時に絞りを開放にする開放位置に保持されており、レンズ装着操作を利用して絞り制御レバーを絞り作動レバーに係合させ、且つ絞り作動リングを絞り込みバネの付勢に抗して開放位置に回転させる。
【０００４】
絞り制御機構は、ミラー駆動機構に連動している。ミラー駆動機構は、シャッタレリーズに応答してファインダ観察位置から、ミラーが撮影光路から退避した退避位置にミラーをはね上げる。このはね上げに連動して絞り制御リングは保持が解除され、絞り込みバネの付勢により絞り込み位置に向けて回転する。この回転中に検出手段が絞り制御リングの回転量を検出し、所定の回転量になった時点で絞り制御リングの回転を停止させ、その後に露光を行う。
【０００５】
絞り制御装置の概略の一例を図６に示す。この状態は撮影準備完了状態である。絞り制御装置は、ラチェット歯車１０、カム１１、保持レバー１２、ストップレバー１３、解除レバー１４、ミラーはね上げレバー１５、絞り制御マグネット１６、及びバネ１７等で構成されている。絞り制御リングの回転は、ラチェット歯車１０に連係している。ラチェット歯車１０は、絞り制御リングを介して前述した絞り込みバネにより反時計方向に向けて付勢されており、同軸上に設けられたカム１１を介して保持レバー１２がバネ１７の付勢によりラチェット歯車１０の反時計方向への回転を阻止している。
【０００６】
シャッタレリーズが行われると、ミラー駆動機構がミラーを撮影位置にはね上げる。このはね上げに連動してミラーはね上げレバー１５が時計方向に回転し、解除レバー１４を介して保持レバー１２を時計方向に回転させる。これにより、ラチェット歯車１０の反時計方向への回転阻止が解除され、絞り制御リングが絞り込みバネの付勢により回転する。
【０００７】
絞り制御リングの回転は、エンコンダー等の検出手段で監視されており、検出手段から得られる回転位置が露出制御に対応した位置に達した時点で絞り制御マグネット１６の通電を断ってストップレバー１３を時計方向に回転させる。このストップレバー１３には、ラチェット爪１３ａが設けられており、時計方向への回転でラチェット爪１３ａがラチェット歯車１０の歯に係合してラチェット歯車１０とともに絞り制御リングの回転を阻止する。この間の絞り制御リングの回転量で、絞りが所定の絞り口径に定められる。
【０００８】
【発明が解決しようとする課題】
前述した絞り制御装置の撮影準備完了状態は、カメラの不使用状態でもある。この不使用状態では、絞り制御マグネット１６の通電が断たれている。また、バネ１７により保持レバー１２が反時計方向に付勢されており、さらに、保持レバー１２の一端１２ａがストップレバー１３の一端１３ｂに係合してストップレバー１３を退避位置に保持している。この状態で、例えば落下等でカメラに強い衝撃を与えると、ストップレバー１３の鉄片１３ｃが重いため、ここに大きなモーメントが加わってストップレバー１３が時計方向に向けて回転してしまう不都合が生じる。
【０００９】
このようになると、ストップレバー１３の他端１３ｂが保持レバー１２の他端１２ａを押し下げ、バネ１７の付勢に抗して保持レバー１２を時計方向に向けて回転させてしまう。したがって、保持爪１２の係合が解除され、この時点でラチェット歯車１０とともに絞り制御リングが絞り込み位置に回転してしまい、その次の撮影での絞り制御が行えないという欠点があった。
【００１０】
本発明は、このような背景を考慮してなされたもので、大きなショックが加わってもバネで蓄勢された絞り制御リングの回転保持が解除されないように工夫した絞り制御機構を提供することを目的とする。
【００１１】
【課題を解決するための手段】
上記目的を達成するために、本発明の絞り制御装置には、絞りを開放する開放位置と最小に絞り込む絞り込み位置との間で回動自在であり、前記２位置のうちの何れか一方の位置に向けてバネにより付勢されており、露光完了後に前記２位置のうちの前記バネの付勢方向とは逆方向の位置である復帰位置に復帰される絞り制御部材と；前記絞り制御部材の回転に連動して回転し、その回転方向の一位置に段差部を有するカムと；前記絞り制御部材が復帰位置のときに前記段差部に係合する保持爪を有し、前記保持爪が前記段差部に係合して前記絞り制御部材を復帰位置に保持する保持位置と、前記保持爪が前記段差部から退避して前記絞り制御部材の前記復帰位置での保持を解除する退避位置との間で移動自在となっており、バネにより保持位置に向けて付勢されている保持部材と；シャッタレリーズに応答してミラーがファインダー観察位置から撮影位置にはね上げられることに連動してはね上げ位置に移動し、露光完了後に前記ミラーがファインダー観察位置に戻ることに連動して初期位置に戻されるミラーはね上げレバーと；前記保持爪に連係する一端と、前記ミラーはね上げレバーの一部の移動軌跡内に入り込む他端とを有し、前記ミラーはね上げレバーがはね上げ位置に移動することで前記他端が前記ミラーはね上げレバーの一部に当接して前記保持部材を退避位置に移動させる解除位置に移動し、また、前記ミラーはね上げレバーが初期位置に戻ることで前記他端が前記ミラーはね上げレバーの一部に追従して前記保持部材の保持位置への移動を許容し、前記保持爪が前記段差部に係合したときに初期位置に移動する解除部材と；前記解除部材が初期位置にあるときに前記解除部材の他端を、前記ミラーはね上げレバーの一部が前記解除部材の他端に当接する方向とは逆の方向から受けて前記解除部材の解除位置への移動を阻止し、また、シャッタレリーズ時には前記解除部材の他端の移動軌跡外に退避して前記解除部材の解除位置への移動を許容する防止部材と；を備えたものである。
【００１２】
これによれば、解除部材が初期位置にあるときに解除部材の他端を、ミラーはね上げレバーの一部が解除部材の他端に当接する方向とは逆の方向から防止部材が受けて、解除部材の解除位置への移動を阻止し、また、シャッタレリーズ時には防止部材が解除部材の他端の移動軌跡外に退避して解除部材の解除位置への移動を許容するから、確実な絞り制御を行うことができる。
【００１３】
【発明の実施の形態】
図２は、絞り制御装置の概略の一例を示している。一眼レフタイプのカメラの絞り開閉機構１９は、交換レンズ２０の側に内蔵されている。絞り開閉機構１９は、絞り作動リング２１の回転に応じて複数の絞り羽根１８を可変させて絞り口径を変化させる。絞り作動リング２１は、絞り口径を開放する位置と最小絞りにする絞り込み位置との間で回転され、常に絞り込み位置に向けて絞り込みバネ２２で付勢されている。
【００１４】
レンズ２０の側の絞り作動リング２１には、絞り作動レバー２３が設けられており、マウントを介してレンズ２０をボディに取り付けることでボディ側の絞り制御レバー２４に係合する。絞り制御レバー２４は、ボディマウントの奥に回動自在に設けられた絞り制御リング２５に設けられている。絞り制御リング２５は、撮影準備完了時に絞りを開放にする開放位置に保持されており、レンズ２０をボディに取り付けることで絞り制御レバー２５が絞り作動レバー２３に係合して絞り作動リング２１を絞り込みバネ２２の付勢に抗して開放位置に回転させる。
【００１５】
レンズの絞り開閉機構１９の開閉制御は、ボディ側に内蔵された絞り制御機構２７で行われる。絞り制御機構２７は、前述した絞り制御リング２５の他に、保持レバー２８、解除レバー２９、ストップレバー３０、ラチェット歯車３１、絞り制御マグネット３２、カム３３、ミラーはね上げレバー３４及び、バネ３５，３８等で構成されており、ミラーはね上げ連動機構３６と絞り復帰機構３７とに連係されている。
【００１６】
絞り制御リング２５には、一部にギヤ部３９が形成されており、このギア部３９にはギヤ４０が噛合している。このギヤ４０の回転は、ギヤ列４１を介してカム３３とラチェット歯車３１とに伝達される。カム３３には、保持レバー２８が係合しており、ラチェット歯車３１とともに絞り制御リング２５の回転を阻止している。制御部４２は、シャッタボタン４３の半押し操作に応答してドライバー４４を介して絞り制御マグネット３２に通電を行う。絞り制御マグネット３２は、通電によりストップレバー３０がラチェット歯車３１から退避した位置で保持する。
【００１７】
また、制御部４２は、シャッタボタン４３の半押し操作に応答して測光を行い、全押し操作に応答してミラー駆動機構４５を駆動させる。ミラー駆動機構４５は、ミラー４６をファインダ観察位置から撮影位置にはね上げた後に露光を行い、露光完了後に再びファインダ観察位置に戻す。
【００１８】
ミラー４６には、ミラーはね上げ連動機構３６が連結されている。ミラーはね上げ連動機構３６は、３個のレバー４７，４８，３４で構成されており、ミラー４６のはね上げ開始に連動してミラー４６に設けた連結棒４６ａがレバー４７を押し上げる。各レバー４７，４８，３４は、各々に設けられたギヤで噛合しており、レバー４７の回転が各レバー４８，３４に順次に伝達される。この駆動は、ミラーはね上げ開始を知らせる信号となって絞り制御機構２７に伝達される。伝達された後には、可動中のミラー４６からショックやバウンド等による駆動が伝達されないようにするために、連結棒４６とレバー４７との連結が解除され、連結棒４６ａだけがミラー４６と一緒にファインダ観察位置へ戻される。
【００１９】
絞り制御機構２７は、ミラーはね上げ連動機構３６から得られる駆動を利用して保持レバー２８とカム３３との係合を解除する。これにより絞り制御リング２５が絞り込みバネ２２の付勢により回転し、絞り開閉機構１９を介して絞りが絞り込まれる。絞り制御リング２５の回転は、フォトレフレクタ４９とギヤ４０に連結された羽根車５０とで構成されたエンコーダ５１で検出される。
【００２０】
制御部４２は、エンコーダ５１を介して絞り制御リング２５の回転を監視しており、この回転が測光部５３及びフイルム感度読取部５４から得られる被写体輝度とフイルム感度とに基づいて決まる絞り値に対応した回転となった時点でドライバー４４を介して絞り制御マグネット３２への通電を断つ。絞り制御マグネット３２は、通電が断たれることでストップレバー３０をラチェット歯車３１に係合させてラチェット歯車３１とともに絞り制御リング２５の回転を停止する。これにより、露光直前に絞りが所定の絞り口径に定められる。
【００２１】
露光完了後に制御部４２は、ドライバー５５を介してモータ５６を駆動させる。この駆動は、絞り復帰機構３７に伝達される。絞り復帰機構３７は、一回転ギヤ５７、ラック板５８、ピニオンギヤ５９ａ、及び往復ギヤ５９ｂ等で構成されている。一回転ギヤ５７には、ピン６０が突出して設けられており、モータ５６の駆動により一方向（同図に示す矢印方向）に向けて一回転される。ラック板５８は、ピン６０の回転軌跡上に端部が位置しており、ピン６０の一回転で直進的に往動し、戻しバネ６１の付勢により復動して初期位置に戻る。この往復動の駆動がピニオンギヤ５９ａに伝達される。
【００２２】
ピニオンギヤ５９ａは往復ギヤ５９ｂに噛合しており、往復ギヤ５９ｂはギヤ列を構成するギヤ４１ａの軸にフリーに取り付けられている。往復ギヤ５９ｂとギヤ４１ａとには、対向する方向に向けてピン５９ｃ，４１ｂがそれぞれ植設されている。これらのピン５９ｃ，４１ｂは、往復ギヤ５９ｂの往動回転で互いが係合し、絞り制御リング２５に連動して回転したギヤ４１ａを元の位置に戻し、復動回転で互いが離れる。このギヤ４１ａは、絞り制御リング２５とカム３３及びラチェットギヤ３１とを連結するギヤ列４１に組み込まれているから、ギヤ４１ａが元の位置まで戻ることでラチェット歯車３１、カム３３、及び絞り制御リング２５とがそれぞれ元の位置にで戻る。
【００２３】
また、モータ５６の駆動は、ミラーはね上げ連動機構３６を復帰させるための一回転ギヤ６５にも伝達される。一回転ギヤ６５には、ピン６６が設けられており、モータ５６の駆動で一回転する。ピン６６は、一回転ギヤ６５の回転中にミラーはね上げレバー３４の下端を押してミラーはね上げ連動機構３６の他のレバー４８，４７を逆転させる。そして、レバー４８がストッパーピン７２に当接することでレバー４７がミラー４６の連結棒４６ａに連結される。絞り制御機構２７の保持レバー２８は、ミラーはね上げレバー３４の復帰移動に連動してカム３３に係合する位置に向けて戻される。保持レバー２８は、カム３３が元の位置に向けて回転してくることで係合して、絞り制御リング２５を元の位置で保持する。この間にフイルム給送が行われており、フイルム給送が完了することで撮影準備完了状態となる。
【００２４】
図１は、絞り制御機構２７の要部を示している。絞り制御リング２５の回転は、ラチェット歯車３１の軸に直結されている。ラチェット歯車３１は、絞り制御リング２５を介して前述した絞り込みバネ２２により、軸６５を中心として反時計方向に向けて付勢されている。
【００２５】
絞り制御マグネット３２は、撮影準備完了時にストップレバー３０の鉄片３０ａを吸引し、ストップレバー３０の一端に設けたラチェット爪３０ｂをラチェット歯車３１から退避させた初期位置でストップレバー３０を保持している。ストップレバー３０は、この初期位置とラチェット爪３０ｂがラチェット歯車３１に係合したロック位置との間で軸６６を中心として回転自在に設けられている。
【００２６】
ラチェット歯車３１の同軸上には、カム３３が一体に設けられている。カム３３の回転軌跡上には、保持レバー２８の一端に設けた保持爪２８ａが位置している。保持レバー２８は、撮影準備完了時に保持爪２８ａがカム３３の段差部３３ａに係合してラチェット歯車３３の反時計方向への回転を阻止した保持位置の状態とされている。この保持レバー２８は、この保持位置と保持爪２８ａが段差部３３ａから退避した退避位置との間でストップレバー３０と同じ回転軸６６を中心として回転し、バネ３８により保持位置に向けて付勢されている。このバネ３８は、絞り制御リング２５の回転開始タイミングにズレが生じなようにするために、弱い付勢力とされている。
【００２７】
ストップレバー３０と保持レバー２８との他端３０ｃ，２８ｂには、これらを引き寄せるための引き寄せバネ３５が掛けらている。この引き寄せバネ３５は、同図に示した状態、すなわち保持レバー２８が保持位置で、且つストップレバー３０が初期位置のときに互いの他端３０ｃ，２８ｂが近接するため、蓄勢が開放されている。また、ストップレバー３０の他端３０ｃには、保持レバー２８の他端２８ｂの回転軌跡上に突出したピン３０ｄが一体に形成されている。このピン３０ｄは、ストップレバー３０がロック位置で、且つ止レバー２８が退避位置の状態のときに、保持レバー２８が保持位置に向けて回転することで、保持レバー２８の他端２８ｂに当接し、保持レバー２８の回転に追従してストップレバー３０を初期位置に向けて回転させる。
【００２８】
保持レバー２８の保持爪２８ａの側には、解除レバー２９の一端２９ａが連結されている。解除レバー２９は、軸６５，６６と平行な軸６７を中心として保持レバー２８を保持位置に回転させる初期位置と保持レバー２８を退避位置に回転させる解除位置との間で回転自在に設けられている。この例では、反時計方向に回転することで保持レバー２８を退避位置に回転させる。解除レバー２９の他端２９ｂは、軸６７を挟んで一端２９ａとは逆側に設けられており、ミラーはね上げレバー３４の凹部３４ａに入り込んでいる。
【００２９】
ミラーはね上げレバー３４は、回転軸６８が解除レバー２９の軸６７に対して直交する方向に配置されており、同図では左側面を二点鎖線で示している。この左側面の状態が初期位置であり、この初期位置とミラー４６のはね上げに連動して時計方向に所定量だけ回転したはね上げ位置との間で回動する。解除レバー２９は、保持レバー２８がバネ３８で保持位置に向けて付勢されているため、これに追従して時計方向に向けて付勢され、他端２９ｂが凹部３４ａの上端３４ｂに当接する。ミラーはね上げレバー３４は、前述したようにレバー４８がストッパーピン７２に当接することで初期位置が決められている。保持レバー２８は、初期位置にあるミラーはね上げレバー３４の上端３４ｂに解除レバー２９の他端２９ｂが当接することで保持位置が決められる。このとき、ストップレバー３０は、他端３０ｃが保持レバー２８の他端２８ｂで押し上げられて初期位置に保持されており、鉄片３０ａが絞り制御マグネット３２に当接又は吸引可能な範囲に近接している。
【００３０】
この例では、シャッタボタン４３の半押し操作に応答して絞り制御マグネット３２に通電が行われる。したがって、シャッタボタン４３の半押し操作が行われていないときには、絞り制御マグネット３２が鉄片３０ａを吸引していない。このため、ストップレバー３０は、バネ３８で保持位置に向けて付勢された保持レバー２８の他端２８ｂだけで初期位置に保持されている。このとき、カメラに大きな振動等が加わると、鉄片３０ａに大きなモーメントが加わってストップレバー３０がロック位置（時計方向）に向けて回転してしまう。ストップレバー３０がロック位置に向けて回転すると、他端３０ｃが保持レバー２８の他端２８ｂを下方に押して保持レバー２８を退避位置（時計方向）に向けて回転させてしまう。
【００３１】
これを防止するために、ミラーはね上げレバー３４には、防止部材７０が設けられている。防止部材７０は、凹部３４ａの上端３４ｂとは逆側に設けられており、ミラーはね上げレバー３４が初期位置のときに解除レバー２９の他端２９ｂの下方に入り込んで保持レバー２８の退避位置に向けての回転を阻止し、また、ミラーはね上げレバー３４が初期位置からはね上げ位置に向けて僅かに回転することで解除レバー２９の他端２９ｂの回転軌跡上から退避して保持レバー２８の退避位置への回転を許容する。防止部材７０は、ミラーはね上げレバー３４に一体に設けられており、ミラーはね上げレバー３４の動きに伴って退避する。したがって、防止部材７０のための部品点数を増加させる必要がなく、また、防止部材７０との連動機構も不要である。なお、上記防止部材７０を、別部材で取り付けてもよい。
【００３２】
次に、上記構成の作用を簡単に説明する。カメラのシャッタボタン４３を半押し操作すると、制御部４２が測光部５３を作動させ、被写体輝度を測光し、被写体輝度とフイルム感度読取部５４から得られたフイルム感度とに基づいてその時点でのシャッタ値と絞り値とを決める。また、この半押し操作に応答し制御部４２は、絞り制御マグネット３２に通電を行う。絞り制御マグネット３２は、通電されることでストップレバー３０の鉄片３０ａを吸引する。
【００３３】
シャッタボタン４３がそのまま全押し操作されると、制御部４２がミラー駆動機構４５を駆動する。ミラー駆動機構４５は、駆動されることでミラー４６を撮影位置にはね上げる。このミラー４６のはね上げに連動してミラーはね上げ連動機構３６のレバー４７が図２に示す時計方向に向けて回転され、この回転に連動してレバー４８が半時計方向に向けて回転してストッパー７１に当接する。なお、図２に記載した符号３８ａは、バネ３８の一端を固定するバネ受けである。
【００３４】
レバー４８の回転によりミラーはね上げレバー３４が軸６８を中心として時計方向のはね上げ位置に回転する。ミラーはね上げレバー３４がはね上げ位置に向けて回転すると、図３に示すように、解除レバー２９とミラーはね上げレバー３４との回転面が互いに直交する方向とされているため、凹部３４ａの上端３４ｂが解除レバー２９の他端２９ｂを押し下げ、これと同時に防止部材７０が解除レバー２９の他端２９ｂの回転軌跡上から退避する。したがって、解除レバー２９が反時計方向に回転する。
【００３５】
図３に示すように、解除レバー２９が反時計方向に回転すると、一端２９ａが保持レバー２８をバネ３８の付勢に抗して時計方向に向けて回転させる。これにより、保持爪２８ａと段差部３３ａとの係合が解除され、ラチェット歯車３１とともに絞り制御リング２５が絞り込みバネ２２の付勢により回転する。保持レバー２８が退避位置に回転すると、他端２８ｂがストップレバー３０の他端３０ｃから離れ、引き寄せバネ３５がストップレバー３０をロック位置に向けて付勢した状態となる。
【００３６】
制御部４２は、エンコーダ５１を介して絞り制御リング２５の回転を監視しており、この回転量が絞り値に対応した回転量となった時点で絞り制御マグネット３２への通電を断つ。これにより、絞り制御マグネット３２の吸引が解除され、ストップレバー３０が引き寄せバネ３５の付勢によりロック位置に向けて瞬時に回転する。ストップレバー３０がロック位置に回転すると、ラチェット爪３０ｂがラチェット歯車３１に噛合して、ラチェット歯車３１とともに絞り制御リング２５の回転が阻止され、図４に示した状態となる。この間の絞り制御リング２５の回転で絞り口径が定められる。この図４に示した状態では、ストップレバー３０の他端３０ｃが保持レバー２８の他端２８ｂに近接され、引き寄せバネ３５の蓄勢が開放されている。また、この間、保持レバー２８がバネ３８の付勢により保持位置に向けて戻ろうとするが、ミラー４６のはね上げにより連結棒４６ａがレバー４７を図２に示す時計方向に向けて押し上げているから、戻ることはない。
【００３７】
制御部４２は、ミラー４６が撮影位置にはね上げられた時点で、シャッタ機構（図示なし）を駆動する。これにより、所定の絞り口径で露光が行われる。露光完了後には、ミラー駆動機構４５がミラー４６をファインダ観察位置に戻す。このとき、連結棒４６ａとレバー４７との連結が解除され、連結棒４６ａがミラー４６と一緒に戻り、ミラーはね上げ連動機構３６の各レバー４７，４８，３４ははね上げ位置の状態のままとされる。
【００３８】
露光完了後には、制御部４２がモータ５６を駆動して絞り復帰機構３７とミラーはね上げ連動機構３６とを駆動させる。絞り復帰機構３７にモータ５６の駆動が伝達されると、一回転ギヤ５７が一回転し、この回転中にピン６０がラック板５８を往復動させる。このとき、ギヤ４１ａは、絞り制御リング２５の回転に応じて反時計方向に向けて回転している。この回転は、一回転未満とされており、したがって、往復ギヤ５９ｂは、ラック板５８の往動時に得られる駆動を利用してギヤ４１ａを時計方向に向けて回転させ、元の位置まで戻す。このとき、ストップレバー３０は、ラチェット爪３０ｂがラチェット歯車３１を乗り越えるため、ラチェット歯車３１の逆転を許容する。これにより、絞り制御リング２５、カム３３、及びラチェット歯車３１も絞り込みバネ２２の付勢に抗して元の位置に戻される。
【００３９】
また、モータ５６の駆動は、一回転ギヤ６５にも伝達され、ギヤ６５の一回転中にピン６６がミラーはね上げレバー３４を初期位置に戻す。図５に示すように、ピン６６は、ミラーはね上げレバー３４の下端３４ｃを同図に示す矢印方向に押してレバー３４を反時計方向に向けて回転させる。このとき、保持レバー２８を介してバネ３８により解除レバー２９が時計方向に向けて付勢されているから、ミラーはね上げレバー３４が初期位置に向けて回転すると、これに追従して解除レバー２９が時計方向に向けて回転する。これにより、保持レバー２８も保持位置に向けて回転する。
【００４０】
この時点では、すでに絞り制御リング２５が元の位置に向けて回転しており、したがって、カム３３及びラチェット歯車３１も同図に示す時計方向に向けて逆転されている。したがって、保持レバー２８が保持位置に向けて回転すると、保持爪２８ａがカム３３ａの周面に当接し、カム３３が元の位置に戻ることで保持爪２８ａが段差部３３ａに入り込んで保持レバー２８が保持位置に回転した状態となる。そして、絞り制御リング２５を逆転する駆動が直ぐに解除される。これにより、絞り込みバネ２２の付勢により反時計方向に向けて付勢されるカム３３の回転を保持レバー２８が阻止する。
【００４１】
保持レバー２８が保持位置に向けて回転したときには、他端２８ｂがピン３０ｄを持ち上げるため、ストップレバー３０が反時計方向に向けて回転する。そして、保持レバー２８が保持位置に回転したときには、ストップレバー３０が初期位置に回転した状態となる。これにより、鉄片３０ａが絞り制御マグネット３２に当接又は近接した位置に戻され、図１に示した状態となる。また、保持レバー２８が保持位置に回転したときには、防止部材７０が解除レバー２９の他端２９ｂの下方に入り込んだ状態となる。
【００４２】
制御部４２は、露光完了後に前述した一連の復帰動作をフイルム給送と並行して行っている。そして復帰動作とともにフイルム給送が完了した時点で撮影準備完了の状態となる。
【００４３】
図１で説明した状態では、バネ３８で保持位置に向けて付勢された保持レバー２８の他端２８ｂだけでストップレバー３０が初期位置に保持されている。この例では、シャッタボタン４３の半押し操作が行われていないときには、絞り制御マグネット３２が鉄片３０ａを吸引していない。このようなときに、カメラに大きな振動等が加わると、鉄片３０ａに大きなモーメントが加わってストップレバー３０がロック位置（時計方向）に向けて回転しようとする。
【００４４】
この力は、他端３０ｃと他端２８ｂとを介して保持レバー２８を退避位置（時計方向）に向けて回転させる力となり、さらに解除レバー２９を反時計方向に向けて回転させる力となる。しかしながら、解除レバー２９の他端２９ｂが反時計方向に回転しようとしても、この方向に防止部材７０が位置しているため、解除レバー２９の反時計方向への回転が防止される。このため、解除レバー２９が図１に示す初期位置にあるときには、保持レバー２８の退避位置への回転が確実に阻止されている。
【００４５】
上記実施例では、絞り制御リング２５、保持レバー２８、解除レバー２９、ストップレバー３０等を回転自在に設けているが、本発明では回転に限らず、単に移動するだけの部材でもよい。また、ミラー４６のはね上げに連動して解除レバー２９を初期位置から解除位置に移動させているが、本発明ではこれに限らず、シャッタレリーズに連動して移動させてもよい。さらに、絞り作動リング２１をバネ２２で絞りを絞り込む方向に付勢させているが、本発明ではこれに限らず、開放する方向に付勢してもよい。この場合は、絞り制御リング２５が絞り込み位置で保持されることになる。
【００４６】
【発明の効果】
以上説明したように、本発明の絞り制御装置では、解除部材が保持位置にあるときに保持部材が退避位置に移動するのを防止し、シャッタレリーズ時には保持部材の退避位置への移動を許容する防止部材を備えたから、確実な絞り制御を行うことができる。
【図面の簡単な説明】
【図１】本発明の絞り制御装置の要部を示した説明図であり、一部を側面から見た図で示している。
【図２】カメラの内部機構の要部を示した斜視図である。
【図３】絞り制御リングの回転を開始した状態の説明図である。
【図４】絞り制御リングの回転を阻止して所定の絞り口径に定めた状態の説明図である。
【図５】絞り制御リングを元の位置に向けて戻している状態の説明図である。
【図６】従来技術で説明した絞り制御装置の要部を示した説明図である。
【符号の説明】
１０，３１  ラチェット歯車
１１，３３  カム
１２，２８  保持レバー
１３，３０  ストップレバー
１４，２９  解除レバー
１５，３４  ミラーはね上げレバー
１６，３２  絞り制御マグネット
１７，３８  バネ
１８  絞り羽根
２１  絞り作動リング
２２  絞り込みバネ
２５  絞り制御リング
３５  引き寄せバネ
【図１】
0003800700.tif 000002
【図２】
0003800700.tif 000003
【図３】
0003800700.tif 000004
【図４】
0003800700.tif 000005
【図５】
0003800700.tif 000006
【図６】
0003800700.tif 000007